(57)【要約】【課題】二次電池を内蔵する電子機器において、二次電池の充電に用いられる端子と当該端子の周辺の導電体との間の短絡による電子機器の破損を防止する。【解決手段】充電制御回路１０５と電力供給制御回路１０６は各々、二次電池１０３に接続されている。端子１０４はスイッチ１０７を介して、充電制御回路１０５および電力供給制御回路１０６に選択的に接続される。回路制御部１２０１は、端子１０４に外部電源が接続されていない間、所定時間の経過毎に、スイッチ１０７を切り替えて端子１０４と電力供給制御回路１０６をごく短時間だけ接続する。その結果、端子１０４にインパルス電圧が印加される。通知制御部１２０２は、電圧センサ１１０が計測するコネクタシェル１０８の電圧に基づきコネクタシェル１０８と端子１０４の短絡を検出すると、ディスプレイ１０２２に警告メッセージを表示させる。【選択図】図３
2016015574.tif 000002
【特許請求の範囲】
【請求項１】
端子と、
二次電池と、
前記端子に外部から供給される電力を前記二次電池に充電する充電手段と、
前記二次電池から供給される電力により前記端子に電圧を印加する電力供給手段と、
前記端子と電気的に切断されているべき導電体と、
前記導電体に印加される電圧を計測する電圧計測手段と、
ユーザに通知を行う通知手段と、
前記端子に外部から電力が供給されている間に前記充電手段に前記二次電池に対する充電を行わせ、前記端子に外部から電力が供給されていない間に前記電力供給手段に所定の規則に従い定まるタイミングで前記端子に対する電圧の印加を行わせ、前記電圧計測手段により所定の条件を満たす電圧が計測された場合に前記通知手段に所定の通知を行わせる制御手段と
を備える電子機器。
【請求項２】
前記制御手段は、前記電力供給手段に前記端子に対する電圧の印加を行わせるタイミングに応じて所定の規則に従い定まる当該タイミングを含む期間を通じて前記電圧計測手段に電圧の計測を行わせる
請求項１に記載の電子機器。
【請求項３】
前記制御手段は、前記電力供給手段に間欠的に前記端子に対する電圧の印加を行わせる
請求項１または２に記載の電子機器。
【請求項４】
前記制御手段は、前記電力供給手段に前記端子に対するインパルス電圧の印加を行わせる
請求項１乃至３のいずれか１項に記載の電子機器。
【請求項５】
前記電子機器が置かれている環境の変化を検出する検出手段を備え、
前記制御手段は、前記検出手段により所定の条件を満たす環境の変化が検出された場合に前記電力供給手段に前記端子に対する電圧の印加を行わせる
請求項１乃至４のいずれか１項に記載の電子機器。
【請求項６】
端子と、
二次電池と、
前記端子に外部から供給される電力を前記二次電池に充電する充電手段と、
前記二次電池から供給される電力により前記端子に電圧を印加する電力供給手段と、
前記端子と電気的に切断されているべき導電体と、
前記導電体に印加される電圧を計測する電圧計測手段と、
ユーザに通知を行う通知手段と、
前記端子に外部から電力が供給されている間に前記充電手段に前記二次電池に対する充電を行わせ、前記端子に外部から電力が供給されていない間に前記電力供給手段に所定の規則に従い定まるタイミングで前記端子に対する電圧の印加を行わせる制御手段と
を備えるコンピュータに、
前記電圧計測手段により所定の条件を満たす電圧が計測された場合に前記通知手段に所定の通知を行わせる処理を実行させるためのプログラム。
【請求項７】
端子と、
二次電池と、
前記端子に外部から供給される電力を前記二次電池に充電する充電手段と、
前記二次電池から供給される電力により前記端子に電圧を印加する電力供給手段と、
前記端子と電気的に切断されているべき導電体と、
前記導電体に印加される電圧を計測する電圧計測手段と、
ユーザに通知を行う通知手段と
を備えるコンピュータに、
前記端子に外部から電力が供給されている間に前記充電手段に前記二次電池に対する充電を行わせる処理と、
前記端子に外部から電力が供給されていない間に前記電力供給手段に所定の規則に従い定まるタイミングで前記端子に対する電圧の印加を行わせる処理と、
前記電圧計測手段により所定の条件を満たす電圧が計測された場合に前記通知手段に所定の通知を行わせる処理と
を実行させるためのプログラム。
【発明の詳細な説明】
【技術分野】
【０００１】
本発明は、電子機器における短絡に起因する電子機器の破損を防止する技術に関する。
【背景技術】
【０００２】
電子機器における短絡は、電子機器の破損を招く場合がある。そこで、短絡による電子機器の破損を防止する技術が提案されている。
【０００３】
例えば、特許文献１には、バッテリー端子のショート状態を検出し、検出したバッテリー端子のショートの状態及び種類を視聴覚的に出力するショート検出装置が記載されている。特許文献１によれば、バッテリーの正負の端子間の短絡やバッテリーの正端子とバッテリー以外の導電体との間の短絡の状態がユーザに通知される。
【０００４】
また、例えば、特許文献２には、携帯電子機器の２つの端子間の短絡状態を検出し、短絡が検出された場合に所定の報知や電源を落とす処理等の所定の動作を行う携帯電子機器が記載されている。特許文献２によれば、端子間の短絡の状態がユーザに通知される。
【先行技術文献】
【特許文献】
【０００５】
【特許文献１】特開２０１０−８１１４９号公報
【特許文献２】特開２００６−９４５２３号公報
【発明の概要】
【発明が解決しようとする課題】
【０００６】
携帯電子機器の多くは内蔵する二次電池から電力の供給を受ける。携帯電子機器に内蔵される二次電池に有線で充電する場合、携帯電子機器の筐体の外側に露出している端子に外部の電源が電気的に接続される。二次電池の充電に用いられる携帯電子機器の端子が、当該端子の近辺の導電体と短絡していると、二次電池の充電時に外部の電源から供給される電力の一部が当該端子の近辺の導電体に供給され、導電体や短絡経路が発熱し、携帯電子機器の破損がもたらされる危険性がある。
【０００７】
近年、充電に用いられる端子を不使用時に覆うキャップを備えない携帯電子機器が増えている。また、防水機能を謳う携帯電子機器が増えてきている。その結果、携帯電子機器の端子が水やこぼした飲み物、ユーザの汗等の異物を介して端子周辺の導電体と短絡してしまう危険性が高まっている。
【０００８】
本発明は、上記の事情に鑑み、二次電池を内蔵する電子機器において、二次電池の充電に用いられる端子と当該端子の周辺の導電体との間の短絡による電子機器の破損を防止する手段を提供することを目的とする。
【課題を解決するための手段】
【０００９】
上述した課題を解決するため、本発明は、端子と、二次電池と、前記端子に外部から供給される電力を前記二次電池に充電する充電手段と、前記二次電池から供給される電力により前記端子に電圧を印加する電力供給手段と、前記端子と電気的に切断されているべき導電体と、前記導電体に印加される電圧を計測する電圧計測手段と、ユーザに通知を行う通知手段と、前記端子に外部から電力が供給されている間に前記充電手段に前記二次電池に対する充電を行わせ、前記端子に外部から電力が供給されていない間に前記電力供給手段に所定の規則に従い定まるタイミングで前記端子に対する電圧の印加を行わせ、前記電圧計測手段により所定の条件を満たす電圧が計測された場合に前記通知手段に所定の通知を行わせる制御手段とを備える電子機器を提案する。
【００１０】
上記の電子機器において、前記制御手段は、前記電力供給手段に前記端子に対する電圧の印加を行わせるタイミングに応じて所定の規則に従い定まる当該タイミングを含む期間を通じて前記電圧計測手段に電圧の計測を行わせる、という構成が採用されてもよい。
【００１１】
また、上記の電子機器において、前記制御手段は、前記電力供給手段に間欠的に前記端子に対する電圧の印加を行わせる、という構成が採用されてもよい。
【００１２】
また、上記の電子機器において、前記制御手段は、前記電力供給手段に前記端子に対するインパルス電圧の印加を行わせる、という構成が採用されてもよい。
【００１３】
また、上記の電子機器において、前記電子機器が置かれている環境の変化を検出する検出手段を備え、前記制御手段は、前記検出手段により所定の条件を満たす環境の変化が検出された場合に前記電力供給手段に前記端子に対する電圧の印加を行わせる、という構成が採用されてもよい。
【００１４】
また、本発明は、端子と、二次電池と、前記端子に外部から供給される電力を前記二次電池に充電する充電手段と、前記二次電池から供給される電力により前記端子に電圧を印加する電力供給手段と、前記端子と電気的に切断されているべき導電体と、前記導電体に印加される電圧を計測する電圧計測手段と、ユーザに通知を行う通知手段と、前記端子に外部から電力が供給されている間に前記充電手段に前記二次電池に対する充電を行わせ、前記端子に外部から電力が供給されていない間に前記電力供給手段に所定の規則に従い定まるタイミングで前記端子に対する電圧の印加を行わせる制御手段とを備えるコンピュータに、前記電圧計測手段により所定の条件を満たす電圧が計測された場合に前記通知手段に所定の通知を行わせる処理を実行させるためのプログラムを提案する。
【００１５】
また、本発明は、端子と、二次電池と、前記端子に外部から供給される電力を前記二次電池に充電する充電手段と、前記二次電池から供給される電力により前記端子に電圧を印加する電力供給手段と、前記端子と電気的に切断されているべき導電体と、前記導電体に印加される電圧を計測する電圧計測手段と、ユーザに通知を行う通知手段とを備えるコンピュータに、前記端子に外部から電力が供給されている間に前記充電手段に前記二次電池に対する充電を行わせる処理と、前記端子に外部から電力が供給されていない間に前記電力供給手段に所定の規則に従い定まるタイミングで前記端子に対する電圧の印加を行わせる処理と、前記電圧計測手段により所定の条件を満たす電圧が計測された場合に前記通知手段に所定の通知を行わせる処理とを実行させるためのプログラムを提案する。
【発明の効果】
【００１６】
本発明によれば、二次電池を内蔵する電子機器において、二次電池の充電が行われていない間に二次電池の充電に用いられる端子と当該端子の周辺の導電体との間に短絡が生じているか否かの確認が行われ、短絡が生じていればその旨がユーザに通知される。その結果、短絡が生じている状態でユーザが気付かずに二次電池の充電を開始することが回避され、電子機器の破損が防止される。
【図面の簡単な説明】
【００１７】
【図１】一実施形態にかかる電子機器のハードウェア構成を示した図。
【図２】一実施形態にかかる電子機器の状態（非充電時、非電圧印加時）を示した図。
【図３】一実施形態にかかる電子機器の状態（非充電時、電圧印加時）を示した図。
【図４】一実施形態にかかる電子機器が行う通知を例示した図。
【図５】一実施形態にかかる電子機器の状態（外部電源接続時、充電時）を示した図。
【図６】一変形例にかかる電子機器の構成を示した図である。
【図７】一変形例にかかる電子機器の構成を示した図である。
【発明を実施するための形態】
【００１８】
［実施形態］
以下に、本発明の一実施形態にかかる電子機器１を説明する。図１は、電子機器１のハードウェア構成の例を示した図である。図１に例示の電子機器１は、タブレット型ＰＣ等のタッチディスプレイを備えるコンピュータであるが、電子機器１の種別はこれに限られず、ノート型ＰＣ、携帯ゲーム機等であってもよい。
【００１９】
図１に例示の電子機器１は、ＯＳ、アプリケーションプログラム、ユーザデータ等の各種データを記憶するとともにプログラムの実行時に作業領域として用いられるメモリ１００と、メモリ１００に記憶されているプログラムに従い各種データ処理を行うＣＰＵ等のプロセッサ１０１と、ユーザのタッチ操作を受け付けるタッチパネル１０２１（操作受付手段の一例）と画像を表示するディスプレイ１０２２（通知手段の一例）が積層されたタッチディスプレイ１０２を備える。
【００２０】
また、電子機器１は、二次電池１０３（二次電池の一例）と、電子機器１の筐体から外部に対し露出し二次電池１０３の充電に用いられる端子１０４（端子の一例）と、外部の電源から端子１０４に対し電力が供給された場合に当該電力による二次電池１０３の充電を制御する回路である充電制御回路１０５（充電手段の一例）と、二次電池１０３から供給される電力を用いた端子１０４に対する電圧の印加を制御する回路である電力供給制御回路１０６（電力供給手段の一例）と、端子１０４と充電制御回路１０５または電力供給制御回路１０６との間の接続のＯＮ／ＯＦＦを切り替えるスイッチ１０７と、端子１０４を取り囲むように設けられた導電体であるコネクタシェル１０８（導電体の一例）と、端子１０４に印加されている電圧を計測する電圧センサ１０９と、コネクタシェル１０８に印加されている電圧を計測する電圧センサ１１０（電圧計測手段の一例）を備える。
【００２１】
コネクタシェル１０８は電圧センサ１１０による電圧計測の対象物の一例であって、二次電池１０３の充電に用いられる端子１０４の周辺に配置され、端子１０４と電気的に切断されているべき導電体であれば、コネクタシェル１０８以外の導電体が電圧センサ１１０の電圧計測の対象物として採用されてもよい。
【００２２】
上記のハードウェア構成を備える電子機器１は、二次電池１０３が充電されていない間に、端子１０４とコネクタシェル１０８との間に短絡が生じているか否かを自動的にチェックする機能（以下、「短絡チェック機能」という）を備える。以下に電子機器１が行う短絡チェック機能を説明する。
【００２３】
図２は、二次電池１０３への充電が行われておらず、かつ、後述する端子１０４への電圧の印加が行われていない状態の電子機器１の構成を示している。電子機器１は、機能構成部として制御部１２０を備える。すなわち、プロセッサ１０１がメモリ１００に記憶されているアプリケーションプログラムに従う処理を実行することにより、制御部１２０が実現される。制御部１２０は、電圧センサ１０９により計測される電圧に基づきスイッチ１０７を制御する回路制御部１２０１と、電圧センサ１１０により計測される電圧に基づきディスプレイ１０２２に所定の通知を行わせる通知制御部１２０２を備える。
【００２４】
端子１０４はスイッチ１０７を介して、充電制御回路１０５および電力供給制御回路１０６のいずれかに選択的に接続される。
【００２５】
二次電池１０３は、充電制御回路１０５および電力供給制御回路１０６の各々に接続されている。なお、二次電池１０３は、メモリ１００およびプロセッサ１０１により実現される制御部１２０、タッチパネル１０２１、ディスプレイ１０２２、電圧センサ１０９、電圧センサ１１０等にも接続され、これらの構成部に電力を供給するが、図２においてはそれらの接続を示す線を省略している（図３、図５、図６、図７において同様）。
【００２６】
コネクタシェル１０８の内側には端子１０４の他に４つの端子が示されている。これらの端子は例えばデータ信号の入出力のための端子や、接地された端子であり、端子１０４とともに所定の規格（例えば、Universal Serial Bus等）に準拠したコネクタを構成する。ただし、電子機器１が備えるコネクタが準拠する規格は限定されず、その形状や端子の数等は図２に示したものに限られない。
【００２７】
電圧センサ１０９は端子１０４に印加されている電圧を継続的に計測し、計測結果を回路制御部１２０１に出力する。また、電圧センサ１１０はコネクタシェル１０８に印加されている電圧を継続的に計測し、計測結果を回路制御部１２０１に出力する。回路制御部１２０１は、スイッチ１０７を充電制御回路１０５に接続している状態において、電圧センサ１０９の計測結果が所定の閾値以上の電圧を示す間、外部電源が端子１０４に接続されていると判定し、電圧センサ１０９の計測結果が所定の閾値未満の電圧を示す間、外部電源が端子１０４に接続されていないと判定する。
【００２８】
外部電源が端子１０４に接続されていない間、回路制御部１２０１は所定時間の経過毎に、スイッチ１０７を切り替えて、端子１０４と電力供給制御回路１０６とをごく短時間、接続した後、再びスイッチ１０７を切り替えて、端子１０４の接続を充電制御回路１０５へ戻す。図３は、上記のスイッチ１０７の切り替えにより、端子１０４と電力供給制御回路１０６が接続されている瞬間の電子機器１を示している。このスイッチ１０７の瞬時的な切り替えにより、端子１０４に対しインパルス電圧が印加される。
【００２９】
端子１０４とコネクタシェル１０８との間に短絡が生じていない場合、端子１０４に対する電圧の印加に応じて電圧センサ１１０が所定の閾値以上の電圧を計測することはない。一方、端子１０４とコネクタシェル１０８との間に短絡が生じている場合、端子１０４に対する電圧の印加に応じて電圧センサ１１０が所定の閾値以上の電圧を計測することになる。従って、回路制御部１２０１は、電圧センサ１１０から所定の閾値以上の電圧を示す計測結果の入力を受けた場合、端子１０４とコネクタシェル１０８との間に短絡が生じている、と判定する。
【００３０】
回路制御部１２０１によって、上記のように端子１０４とコネクタシェル１０８との間の短絡が検出されると、通知制御部１２０２はディスプレイ１０２２に、例えば図４に示すよう画面の表示を指示する。ディスプレイ１０２２は通知制御部１２０２の指示に従い、警告メッセージの表示を行う。ユーザは、この警告メッセージの通知により、端子１０４とコネクタシェル１０８との間に短絡が生じていることに気付かずに電子機器１に対する充電を開始してしまう、という不都合を回避することができる。
【００３１】
図５は外部電源９が端子１０４に接続された状態の電子機器１を示している。外部電源９が端子１０４に接続され、外部電源９から端子１０４に対する電圧の供給が開始されると、回路制御部１２０１は、電圧センサ１０９から、所定の閾値以上の電圧を示す計測結果の入力を受ける。これにより、回路制御部１２０１は端子１０４に対する外部電源９の接続を検出する。回路制御部１２０１は、外部電源９が端子１０４に接続されている間、上述したインパルス電圧を端子１０４に印加するためのスイッチ１０７の切り替えを行わない。外部電源９が端子１０４に接続されると、充電制御回路１０５は外部電源９から供給される電力により二次電池１０３に対する充電を開始する。
【００３２】
端子１０４に対し外部電源９が接続されたとき、端子１０４とコネクタシェル１０８の間に短絡が生じていると、外部電源９から端子１０４に印加される電圧の一部がコネクタシェル１０８に印加される。従って、電圧センサ１１０が所定の閾値以上の電圧を計測することになる。この電圧センサ１１０による電圧の計測に応じて、回路制御部１２０１は端子１０４とコネクタシェル１０８との間に短絡が生じていると判定し、通知制御部１２０２はディスプレイ１０２２に図４に示すような画面の表示を指示する。ディスプレイ１０２２は通知制御部１２０２の指示に従い、警告メッセージの表示を行う。
【００３３】
上記のように、電子機器１によれば、二次電池１０３の充電に用いられる端子１０４とその周辺の本来は端子１０４と電気的に切断されているべき導電体との間に短絡が生じると、ユーザが充電のために電子機器１を外部電源に接続する前に、電子機器１により短絡が生じていることがユーザに通知される。また、ユーザが電子機器１を外部電源に接続したときにも、短絡が生じているならば、その旨がユーザに通知される。その結果、端子１０４とその周辺の導電体との間で短絡が生じていることを気付かないままユーザが危険な充電を行ってしまう、という不都合が回避される。
【００３４】
［変形例］
上述した電子機器１は本発明の一実施形態であって、本発明の技術的思想の範囲内において様々に変形することができる。以下にそれらの変形の例を示す。なお、上述した実施形態および下記の変形例の２以上が適宜組み合わされてもよい。
【００３５】
（１）上述した実施形態においては、電圧センサ１１０は常時、コネクタシェル１０８に対し印加される電圧の計測を行う。これに代えて、端子１０４に対するインパルス電圧の印加の前後の期間においてのみ、電圧センサ１１０が電圧の計測を行う構成が採用されてもよい（以下、この変形例を「第１変形例」という）。図６は、第１変形例にかかる電子機器１の構成を示した図である。第１変形例において、電子機器１は電圧センサ１１０と二次電池１０３との間にスイッチ１１１を備える。スイッチ１１１は回路制御部１２０１の制御に従い、二次電池１０３から電圧センサ１１０に対する電力供給のＯＮ／ＯＦＦを切り替える。
【００３６】
回路制御部１２０１は、通常、スイッチ１１１を、電圧センサ１１０と二次電池１０３を切断した状態で維持する。回路制御部１２０１は、外部電源が端子１０４に接続されていない状態で、端子１０４に対するインパルス電圧の印加のためのスイッチ１０７の切り替えを行う際、まず、スイッチ１１１を切り替えて電圧センサ１１０と二次電池１０３を接続する。これにより、電圧センサ１１０による電圧の計測が開始される。その後、例えば所定時間が経過したタイミングで、回路制御部１２０１はスイッチ１０７を切り替えて端子１０４と電力供給制御回路１０６を接続した後、すぐさまその接続を切断する。その後、例えば所定時間が経過したタイミングで、回路制御部１２０１はスイッチ１１１を切り替えて電圧センサ１１０と二次電池１０３の接続を切断する。これにより、電圧センサ１１０による電圧の計測が終了する。
【００３７】
第１変形例によれば、短絡の検出のために端子１０４に対しインパルス電圧が印加されるタイミングに応じて所定の規則に従い定まる、当該タイミングの前後の期間においてのみ、電圧センサ１１０による電圧の計測が行われる。その結果、電圧センサ１１０により消費される電力が削減される。また、帯電した何かがコネクタシェル１０８に接触することによる短絡の誤検出の確率も低減される。
【００３８】
（２）上述した実施形態においては、短絡の有無の確認は、例えば所定時間の経過毎に間欠的に行われる。短絡の有無の確認の頻度を高めれば、電力消費が増加する等のデメリットがある。従って、短絡の有無の確認の間隔としては、例えば１５分毎など、ある程度の長さの期間が設定されることが望ましい。しかしながら、短絡の有無の確認が最後に行われた後、ユーザが充電を開始するまでの間に短絡が発生する場合もある。従って、充電が開始される直前に、短絡の有無の確認が行われる構成が採用されてもよい（以下、この変形例を「第２変形例」という）。
【００３９】
ユーザにより電子機器１に対する充電が開始される際、多くの場合、ユーザは電子機器１を持ち上げる。この動作に伴い、電子機器１の位置が変化したり、電子機器１の周囲でノイズが発生したりする。第２変形例においては、電子機器１がこれらの環境の変化を検出し、その検出をトリガとして、短絡の有無の確認が行われる。
【００４０】
図７は、第２変形例にかかる電子機器１の構成を例示した図である。図７に例示の電子機器１は、電子機器１が置かれている環境の変化を検出するセンサの例として、電子機器１の運動を検出するモーションセンサ１１２（検出手段の一例）を備える。ただし、第２変形例にかかる電子機器１が、モーションセンサ１１２に代えて、もしくは加えて、例えば周囲の音を拾音するマイクなどの他の種別のセンサを備えてもよい。
【００４１】
モーションセンサ１１２は、電子機器１の運動を検出すると、回路制御部１２０１に対し運動の検出を通知する。回路制御部１２０１は、外部電源が端子１０４に接続されていない状態で、モーションセンサ１１２から運動の検出の通知を受けると、スイッチ１０７を切り替えて、端子１０４と電力供給制御回路１０６を接続し、すぐさまその接続を充電制御回路１０５側に戻す。これにより、端子１０４に対するインパルス電圧の印加に応じた短絡の有無の確認が行われ、短絡が検出された場合は、図４に示したようなユーザに対する通知が行われる。
【００４２】
第２変形例によれば、ユーザにより電子機器１に対する充電が開始される直前のタイミングで、高い確率で短絡の有無の確認が行われるため、ユーザが気付かずに短絡が生じている状態での危険な充電を開始してしまう危険性を低減することができる。
【００４３】
（３）上述した実施形態においては、短絡の有無の確認のために電力供給制御回路１０６から端子１０４に印加される電圧は、ごく短時間のインパルス電圧である。これは、仮に端子１０４に、電源に接続されていないＡＣ／ＤＣアダプタ等の装置が接続されていた場合、端子１０４に印加される電圧により、それらの装置に悪影響が及ぶ危険性を低減するためである。そのような危険性が許容できる範囲において、電力供給制御回路１０６から端子１０４に電圧が印加される時間長や電圧値は任意に変更されてよい。
【００４４】
例えば、所定時間の経過毎に行われる短絡の検出のための電圧の印加において、回路制御部１２０１が電力供給制御回路１０６を制御して、例えば３つの山を描くように時間の経過に伴い変化する電圧を端子１０４に印加させる構成が採用されてもよい。この場合、短絡が生じていれば、回路制御部１２０１が電圧センサ１１０から受け取る計測結果が示す電圧は、同じく３つの山を描くように時間の経過に伴い変化するものとなる。回路制御部１２０１は端子１０４に印加される電圧の変化と、短絡によりコネクタシェル１０８に印加される電圧の変化を比較することで、より高い精度で、短絡の有無を判定することができる。
【００４５】
（４）上述した実施形態においては、短絡が生じている旨のユーザに対する通知はディスプレイ１０２２による警告メッセージの表示により行われる。これに代えて、または加えて、表示以外の通知の態様が採用されてもよい。例えば、電子機器１がスピーカを備える場合、警告音や警告メッセージの音声を発音する構成としてもよい。
【００４６】
（５）上述した実施形態においては、回路制御部１２０１および通知制御部１２０２はいずれも、プロセッサ１０１がアプリケーションプログラムを実行することにより実現される。これに代えて、回路制御部１２０１および通知制御部１２０２の少なくとも一方が、論理集積回路等のハードウェアにより実現されてもよい。
【符号の説明】
【００４７】
１…電子機器、９…外部電源、１００…メモリ、１０１…プロセッサ、１０２…タッチディスプレイ、１０３…二次電池、１０４…端子、１０５…充電制御回路、１０６…電力供給制御回路、１０７…スイッチ、１０８…コネクタシェル、１０９…電圧センサ、１１０…電圧センサ、１１１…スイッチ、１１２…モーションセンサ、１２０…制御部、１０２１…タッチパネル、１０２２…ディスプレイ、１２０１…回路制御部、１２０２…通知制御部
【図１】
2016015574.tif 000003
【図２】
2016015574.tif 000004
【図３】
2016015574.tif 000005
【図４】
2016015574.tif 000006
【図５】
2016015574.tif 000007
【図６】
2016015574.tif 000008
【図７】
2016015574.tif 000009